【手続補正書】
【提出日】平成19年10月2日(2007.10.2)
【手続補正１】
【補正対象書類名】明細書
【補正対象項目名】特許請求の範囲
【補正方法】変更
【補正の内容】
【特許請求の範囲】
【請求項１】 出力信号を発生する複数の検出器と、該検出器に接続されていて、該複数の検出器により発生された前記出力信号から画像を再構成する複数の構成要素とを有するイメージング・システムにおいて、故障を識別する診断システムであって、前記イメージング・システムにおいて故障が疑われた後に前記複数の構成要素のうちの１つの構成要素により出力されたデータを含んでいる少なくとも１つのカレントのデータ・ファイルを記憶するメモリと、該メモリに接続されていて、故障した検出器及び構成要素を識別するように前記少なくとも１つのカレントのデータ・ファイルを処理するプロセッサと、を有している診断システム。
【請求項２】 前記診断システムは、前記少なくとも１つのカレントのデータ・ファイルに含まれる専用でない情報のみを用いることにより非ＯＥＭ製イメージング・システムにおける故障を識別するために用いられ、
前記少なくとも１つのカレントのデータ・ファイルは、検出器出力信号データ、ソース・ファン・データ、検出器ファン・データ、フィルタ処理後のデータ、畳み込み後のデータ及び画像データのうち少なくとも１つを含んでおり、
前記イメージング・システムは、放射線のファン・ビームを投射する放射線源を有する計算機式断層撮影システムであり、前記検出器により発生される前記出力信号は、それぞれの検出器の各々に入射した放射線の強度に比例しており、
前記少なくとも１つのカレントのデータ・ファイルは、複数の走査角度において収集された複数のプロファイルを含んでおり、該複数のプロファイルの各々が、前記検出器の各々からの強度信号を表わす測定値をそれぞれ含んでおり、前記複数のプロファイルは断面画像を再構成するのに用いられ、
前記少なくとも１つのカレントのデータ・ファイルは複数のカレントの測定値Ｐikを含んでおり、該測定値Ｐikの各々が、ｉ番目の検出器により発生されたｋ番目のプロファイルでの信号に対応している請求項１に記載の診断システム。
【請求項３】 前記プロセッサは、次の式
【数１】
2001161676.tif 000001
に従って平均プロファイル値Ｐkを算出し、
前記測定値Ｐikを前記平均プロファイル値Ｐkと相関させることにより、次の式
Ｃik＝ｃｏｒｒ（Ｐik，Ｐk）
に従って算出される相関値を得るように構成されており、
前記相関値は、故障した動作が疑われる検出器を識別するように閾値に対して比較され、
前記プロセッサは、前記相関値に基づいて、疑わしい検出器の所定のパターンが生じているか否かを決定するように構成されており、更に、前記プロセッサは、前記所定のパターンに対応する故障した構成要素を識別するように構成されている請求項２に記載の診断システム。
【請求項４】 前記メモリは、前記イメージング・システムが適正に動作しているときに前記複数の構成要素のうちの１つの構成要素により出力されたデータを含んでいる少なくとも１つのベースライン基準データ・ファイルを記憶しており、
前記少なくとも１つのベースライン基準データ・ファイルは複数のベースライン基準測定値Ｂikを含んでおり、該ベースライン基準測定値Ｂikの各々が、ｉ番目の検出器により発生されたｋ番目のプロファイルでの信号に対応しており、
前記プロセッサは、前記カレントの測定値Ｐikを前記ベースライン基準測定値Ｂikと相関させることにより、次の式
Ｃik＝ｃｏｒｒ（Ｐik，Ｂik）
に従って算出される相関値を得るように構成されており、
前記相関値は、故障した動作が疑われる検出器を識別するように閾値に対して比較され、
前記プロセッサは、前記相関値に基づいて、疑わしい検出器の所定のパターンが生じているか否かを決定するように構成されており、更に、前記プロセッサは、前記所定のパターンに対応する故障した構成要素を識別するように構成されている請求項１に記載の診断システム。
【請求項５】 前記プロセッサに接続されていて、前記計算機式断層撮影システム内の故障していると考えられる構成要素を表示すると共に、識別された故障に基づいて推奨される修復処置手順を表示するユーザ・インタフェイスを更に含んでいる請求項１に記載の診断システム。
【請求項６】 出力信号を発生する複数の検出器と、該検出器に接続されていて、該複数の検出器により発生された前記出力信号から画像を再構成する複数の構成要素とを有する非ＯＥＭ製イメージング・システムにおいて、専用の情報を利用せずに故障を識別する診断システムであって、前記イメージング・システムにおいて故障が疑われた後に前記複数の構成要素のうちの１つの構成要素により出力されたデータを含んでいると共に、複数の走査角度において前記複数の検出器により発生された処理後の出力信号を含んでいる少なくとも１つのカレントのデータ・ファイルを収集する手段と、前記イメージング・システムが故障のない状態で動作していれば前記複数の構成要素のうちの前記１つの構成要素により出力されたであろうデータを含んでいる少なくとも１つのベースライン基準データ・ファイルを得る手段と、相関値を形成するように相関演算を用いて前記少なくとも１つのカレントのデータ・ファイルを前記少なくとも１つのベースライン基準データ・ファイルと比較する手段と、前記相関値に基づいて故障した検出器及び構成要素を識別する手段と、を有している診断システム。
【請求項７】 前記少なくとも１つのカレントのデータ・ファイルは、検出器出力信号データ、ソース・ファン・データ、検出器ファン・データ、フィルタ処理後のデータ、畳み込み後のデータ及び画像データのうち少なくとも１つを含んでおり、
前記少なくとも１つのベースライン基準データ・ファイルは、前記イメージング・システムが適正に動作しているときに前記複数の構成要素のうちの前記１つの構成要素により出力されたデータを収集することにより得られる請求項６に記載の診断システム。
【請求項８】 前記少なくとも１つのカレントのデータ・ファイルは複数のカレントの測定値Ｐikを含んでおり、該測定値Ｐikの各々が、ｉ番目の検出器により元々出力されているｋ番目のプロファイルでの処理後の信号に対応しており、前記少なくとも１つのベースライン基準データ・ファイルは、次の式
【数２】
2001161676.tif 000002
に従って算出される平均プロファイル値Ｐkを算出することにより得られ、前記相関値は、前記測定値Ｐikを前記平均プロファイル値Ｐk と相関させることにより得られ、次の式
Ｃik＝ｃｏｒｒ（Ｐik，Ｐk）
に従って算出される請求項６に記載の診断システム。
【請求項９】 出力信号を発生する複数の検出器と、該検出器に結合されており、該検出器により発生された前記出力信号から画像を再構成する複数の構成要素とを有するイメージング・システムにおいて、故障を識別する診断方法であって、前記イメージング・システムにおいて故障が疑われた後に前記複数の構成要素のうちの１つの構成要素により出力された少なくとも１つのカレントのデータ・ファイルを収集する工程と、故障していると考えられる検出器及び構成要素を識別するように前記少なくとも１つのカレントのデータ・ファイルを処理する工程と、を有している診断方法。
【請求項１０】 前記診断方法は、収集された前記少なくとも１つのカレントのデータ・ファイルから抽出された専用でない情報のみを用いることにより非ＯＥＭ製イメージング・システムにおける故障を識別するのに用いられ、
前記イメージング・システムは、放射線のファン・ビームを投射する放射線源を有する計算機式断層撮影システムであり、前記検出器により発生される前記出力信号は、それぞれの検出器の各々に入射した放射線の強度に比例しており、
前記少なくとも１つのカレントのデータ・ファイルは、複数の走査角度において収集された複数のプロファイルを含んでおり、それぞれの該複数のプロファイルの各々が、対応する走査角度において前記検出器から受け取られた出力信号を含んでおり、前記複数のプロファイルは断面画像を再構成するのに用いられる請求項９に記載の診断方法。
【請求項１１】 前記少なくとも１つのカレントのデータ・ファイルは複数のカレントの測定値Ｐikを含んでおり、該測定値Ｐikの各々が、ｉ番目の検出器により発生されたｋ番目のプロファイルでの信号に対応しており、
次の式
【数３】
2001161676.tif 000003
に従って算出される平均プロファイル値Ｐkを算出する工程と、前記測定値Ｐikを前記平均プロファイル値Ｐkと相関させることにより、次の式
Ｃik＝ｃｏｒｒ（Ｐik，Ｐk）
に従って算出される相関値を算出する工程と、故障した動作が疑われる検出器を識別するように前記相関値を閾値に対して比較する工程と、
疑わしい検出器の複数の所定のパターンのうちの１つのパターンが生じているか否かを決定する工程と、前記所定のパターンに対応する故障した構成要素を識別する工程と、
前記イメージング・システムが適正に動作しているときに前記複数の構成要素のうちの１つの構成要素から出力された少なくとも１つのベースライン基準データ・ファイルを収集する工程を更に含んでいる請求項９に記載の診断方法。
【請求項１２】 前記少なくとも１つのベースライン基準データ・ファイルは複数のベースライン基準測定値Ｂikを含んでおり、該ベースライン基準測定値Ｂikの各々が、ｉ番目の検出器により発生されたｋ番目のプロファイルでの信号に対応しており、
前記カレントの測定値Ｐikを前記ベースライン基準測定値Ｂikと相関させることにより、次の式Ｃik＝ｃｏｒｒ（Ｐik，Ｂik）
に従って算出される相関値を算出する工程と、故障した動作が疑われる検出器を識別するように前記相関値を閾値に対して比較する工程と、
疑わしい検出器の複数の所定のパターンのうちの１つのパターンが生じているか否かを決定する工程と、前記所定のパターンに対応する故障した構成要素を識別する工程とを更に含んでいる請求項９に記載の診断方法。